(57)【特許請求の範囲】
【請求項１】
前面吸込口、上面吸込口および下部吹出口を備えた前面パネル、および内部に熱交換器と送風ファンを備えたケーシングで構成される本体と、前記前面パネルの前記前面吸込口を開閉する開閉パネルと、該開閉パネルの駆動機構を有し、前記開閉パネルが閉じた時は前記開閉パネルの中に納まり、前記前面吸込口と前記上面吸込口を覆うフィルターを着脱する際は前記開閉パネルと一体的に開閉する吸込グリルとを備え、
前記前面パネルの外側壁に、前記前面パネルの正面壁よりも前方へせり出したせり出し部を設け、該せり出し部は、前端部と、前記正面壁に向けた内側壁と、前記前端部と前記内側壁との間の第１のテーバ部を有し、
前記開閉パネルに、前記開閉パネルの正面部の側端面より内側奥方向に位置する側壁を立設し、前記開閉パネルの前記側壁と前記前面パネルの前記内側壁との間に合わせ目を形成し、
前記吸込グリルの側壁の下端に、前記合わせ目の隙間に臨むように延出され前記開閉パネルの前記側壁の一部を囲う手掛け部を形成し、該手掛け部の側面に手掛け凹部を形成し、
前記開閉パネルと前記吸込グリルを閉じた時に、前記開閉パネルの正面から見て、前記側端面の側端部が、前記前面パネルの前記第１のテーパ部と重合することを特徴とする空気調和機の室内機。
【請求項２】
請求項１に記載の空気調和機の室内機において、
前記吸込グリルの前記手掛け部の前端部および前記開閉パネルの前記側端部が、前記前面パネルの前記せり出し部の前記前端部よりも前方に位置することを特徴とする空気調和機の室内機。
【請求項３】
請求項１又は２に記載の空気調和機の室内機において、
前記開閉パネルの前記側端部が、前記吸込グリルの前記手掛け部の前記側面と面一、もしくは前記前面パネルの外側壁方向に突出していることを特徴とする空気調和機の室内機。
【請求項４】
請求項１、２又は３に記載の空気調和機の室内機において、
前記吸込グリルの前記手掛け部の奥端部が、前記前面パネルの前記第１のテーパ部と前記内側壁との間の角部よりも奥側に位置することを特徴とする空気調和機の室内機。
【発明の詳細な説明】
【技術分野】
【０００１】
本発明は、吸込グリルを開閉させるための手掛け部を目立たなくさせた空気調和機の室内機に関する。
【背景技術】
【０００２】
昨今、室内の壁面に取り付けられる空気調和機の室内機は、設置する室内空間に調和するデザインが好まれている。そのため、本体色には、室内の壁紙に多く使われている白色やベージュ色などの明度の高い色が採用されている。また、形態においては、吸込口や吹出口による凹凸の存在が目立つことで室内空間に違和感を与えることがないように、運転停止時に吸込口をフラットな開閉パネルで閉じ、吹出口を風向板で塞ぐものが多くなってきている。
【０００３】
この空気調和機の室内機は、上面吸込口を備えるとともに前面上部に前面吸込口を備え前面下部に吹出口を備えた前面パネルと、内部に熱交換器と送風ファンを備えたケーシングとで本体が構成され、その前面パネルの正面部に装着され前面吸込口を開閉する開閉パネルと、吹出口を開閉する風向板とで外郭が構成されている。
【０００４】
運転時は、開閉パネルが回動して前面吸込口を開くことで、その前面吸込口から空気を吸い込むとともに上面吸込口からも空気を吸い込み、また風向板が回動することで吹出口から熱交換した後の空気を室内空間に吹出す。運転停止時は、開閉パネルと風向板が元の位置に回動することで、外観が凹凸の無いフラットな形状となり、室内空間に調和するデザインが得られる。
【０００５】
また、前面パネルに装着されたフィルターを取り外す時は、開閉パネルにあらかじめ手掛け部を設け、その手掛け部によって開閉パネルを上方に開放することで、下からフィルターを取り出せる構造となっている。
【０００６】
たとえば、特許文献１には、開閉パネルの側面に設けた手掛けつまみに指をかけてその開閉パネルを開く構成が開示されている。また、前面パネルに凹部を設け、前面パネルと開閉パネルの一部が手掛け部となうようにするものが開示されている。
【先行技術文献】
【特許文献】
【０００７】
【特許文献１】特開２００５−０６９５４４号公報
【発明の概要】
【発明が解決しようとする課題】
【０００８】
しかし、特許文献１に記載の例は、手掛け部が側面に突出するので、正面視でその手掛け部が丸見えとなり、美観を損ねる問題があった。また、開閉パネルに凹部を設けて手掛け部として利用する場合も、同様に美観を損ねる問題があった。
【０００９】
本発明の目的は、吸込グリルを開放させる手掛け部を目立たなくさせ、美観を損なうことのない空気調和機の室内機を提供することである。
0005510668.tif 000002
【課題を解決するための手段】
【００１０】
上記目的を達成するために、請求項１にかかる発明の空気調和機の室内機は、前面吸込口、上面吸込口および下部吹出口を備えた前面パネル、および内部に熱交換器と送風ファンを備えたケーシングで構成される本体と、前記前面パネルの前記前面吸込口を開閉する開閉パネルと、該開閉パネルの駆動機構を有し、前記開閉パネルが閉じた時は前記開閉パネルの中に納まり、前記前面吸込口と前記上面吸込口を覆うフィルターを着脱する際は前記開閉パネルと一体的に開閉する吸込グリルとを備え、前記前面パネルの外側壁に、前記前面パネルの正面壁よりも前方へせり出したせり出し部を設け、該せり出し部は、前端部と、前記正面壁に向けた内側壁と、前記前端部と前記内側壁との間の第１のテーバ部を有し、前記開閉パネルに、前記開閉パネルの正面部の側端面より内側奥方向に位置する側壁を立設し、前記開閉パネルの前記側壁と前記前面パネルの前記内側壁との間に合わせ目を形成し、前記吸込グリルの側壁の下端に、前記合わせ目の隙間に臨むように延出され前記開閉パネルの前記側壁の一部を囲う手掛け部を形成し、該手掛け部の側面に手掛け凹部を形成し、前記開閉パネルと前記吸込グリルを閉じた時に、前記開閉パネルの正面から見て、前記側端面の側端部が、前記前面パネルの前記第１のテーパ部と重合することを特徴とする。
【００１１】
請求項２にかかる発明は、請求項１に記載の空気調和機の室内機において、前記吸込グリルの前記手掛け部の前端部および前記開閉パネルの前記側端部が、前記前面パネルの前記せり出し部の前記前端部よりも前方に位置することを特徴とする。
【００１２】
請求項３にかかる発明は、請求項１又は２に記載の空気調和機の室内機において、前記開閉パネルの前記側端部が、前記吸込グリルの前記手掛け部の前記側面と面一、もしくは前記前面パネルの外側壁方向に突出していることを特徴とする。
【００１３】
請求項４にかかる発明は、請求項１、２又は３に記載の空気調和機の室内機において、前記吸込グリルの前記手掛け部の奥端部が、前記前面パネルの前記第１のテーパ部と前記内側壁との間の角部よりも奥側に位置することを特徴とする。
【００１４】
請求項５にかかる発明は、請求項１、２、３又は４に記載の空気調和機の室内機において、前記吸込グリルの前記手掛け部の奥端部が、前記前面パネルの前記第１のテーパ部と前記内側壁との間の角部よりも奥側に位置することを特徴とする。
【発明の効果】
【００１５】
請求項１にかかる発明によれば、吸込グリルの側端部の一部に合わせ目の隙間に臨むように延出され開閉パネルの側壁の一部を覆う手掛け部が形成されているので、開閉パネルが前面パネルの前面を閉じている運転停止時は、手掛け部が開閉パネルの側壁の奥側に位置して、その手掛け部が見え難くなり目立たなくなる。請求項２にかかる発明によれば、開閉パネルの側端部が、前面パネルの第１のテーパ部と重合するので、合わせ目の隙間の奥が見え難くなる。請求項３にかかる発明によれば、吸込グリルの手掛け部の前端部および開閉パネルの側端部が、前面パネルのせり出し部の前端部よりも前方に位置するので、正面中央から斜めにみて合わせ目の隙間が前面パネルによって隠れるようになる。請求項４にかかる発明によれば、開閉パネルの側端部が、吸込グリルの手掛け部の側面と面一、もしくは前面パネルの外側壁方向に突出しているので、その手掛け部の全体が正面からみて確実に見え難くなる。請求項５にかかる発明によれば、吸込グリルの手掛け部の奥端部が、前面パネルの角部よりも奥側に位置するので、斜め外側前方からみても吸込グリルの手掛け部の奥が見え難くなる。
【図面の簡単な説明】
【００１６】
【図１】本実施例の空気調和機の室内機の運転停止時の斜視図である。
【図２】本実施例の空気調和機の室内機の運転時の斜視図である。
【図３】本実施例の空気調和機の室内機のフィルター交換時の斜視図である。
【図４】本実施例の空気調和機の室内機の分解斜視である。
【図５】(a)は図１のＡ-Ａ線の部分端面図、(b)は図１のＢ−Ｂ線断面図、(c)は手掛け部を引き出している状態の図である。
【図６】吸込グリルの手掛け部と開閉パネルとの係合の説明図である。
【発明を実施するための形態】
【００１７】
図１〜図４において、１は室内機、１０は前面パネル、２０は吸込グリル、３０は開閉パネル、４０はフィルター、５０は開閉パネル駆動機構、６０は風向板、７０はケーシングを示す。前面パネル１０は、正面壁１１に前面吸込口１２Ａを備えるとともに上面に上面吸込口１２Ｂを備え、前面下部に吹出口１３を備えている。そして、前面パネル１０と内部に熱交換器および送風ファンを備えたケーシング７０とで本体が構成されている。開閉パネル３０は、前面パネル１０の正面部に装着され、開閉パネル駆動機構５０により前面吸込口１２Ａを開閉する。この開閉パネル３０と、前面パネル１０の吹出口１３を開閉する風向板６０とで外郭が構成されている。
【００１８】
運転停止時は、図１に示すように、吸込グリル２０および開閉パネル３０が重なった状態で吸込口１２Ａを閉じ、風向板６０により吹出口１３を閉じていることで、外観がフラットな形状となり、室内空間に調和するデザインとなる。また、運転時は、図２に示すように、開閉パネル３０のみが斜め上方向にスライドして、前面パネル１０の吸込口１２Ａを開き、また風向板６０を回動させて吹出口１３を開き、前面吸込口１２Ａと上面吸込口１２Ｂから吸い込み熱交換器で熱交換した後の空気を吹出口１３から風向板６０で風向を制御して吹き出す。
【００１９】
フィルター４０は前面パネル１０の開口部に沿って挿入されるようになっており、前面吸込口１２Ａと上面吸込口１２Ｂの裏面を覆う。このフィルター４０は、取り外して清掃するものであり、そのフィルター交換時は、図３に示すように、吸込グリル２０と開閉パネル３０が一体となって上端を支点に上方向に回動され、前面吸込口１２Ａと上面吸込口１２Ｂの裏面に装着されたフィルター４０の取り外し／取り付けが可能となる。
【００２０】
吸込グリル２０の背面には、図４に示すように、開閉パネル３０を駆動させる開閉パネル駆動機構５０が備わっている。この開閉パネル駆動機構５０の上アーム５１は、吸込グリル２０に設けられた開口部２３を通って、開閉パネル３０の背面の軸受（図示せず）に軸支されている。開閉パネル駆動機構５０の下アーム５２は、一方が開閉パネル３０、他方が吸込グリル２０に軸支されている。開閉パネル３０の動きに伴い、下アーム５２も動く。そして、モータ５３の回転により回転軸５４が回転して上アーム５１が回転すると、吸込グリル２０に対して開閉パネル３０が上方に移動し、図２に示す状態となる。このとき、開閉パネル３０は下アーム５２にも軸支されているので、その開閉パネル３０の下部が下アーム５２により規制され、ぐらつくことはない。
【００２１】
フィルター４０を取り出す時は、吸込グリル２０の左右の上端の軸２４が前面パネル１０の左右の軸受１８に軸支されているので、そこを支点にして上方に持ち上げて回転させる。このとき、開閉パネル駆動機構５０は吸込グリル２０に設けられているので、開閉パネル３０と駆動機構５０も合わせて回転し、図３に示す状態となる。
【００２２】
図５(a)に図１（運転停止時）のＡ−Ａ線の部分端面を示し、前面パネル１０と吸込グリル２０と開閉パネル３０の合わせ目の関係を示す。図５(b)に図１（運転停止時）のＢ−Ｂ線の部分端面、つまり図３で示したような吸込グリル２０と開閉パネル３０を開くための手掛け部の端面を示し、図５(c)に手掛け部を引き出している状態を示し、図６に吸込グリル２０の手掛け部と開閉パネル３０との係合関係を示す。
【００２３】
図５(a)に示す前面パネル１０と吸込グリル２０と開閉パネル３０の合わせ目を説明する。前面パネル１０は、外側壁１４から内側に向けて順に、前方へのせり出し部１５と溝部１６が形成されている。せり出し部１５は、前方（図５(a)の下方）に突出する前端部１５ａと溝部１６を向いた第１のテーパ部１５ｂと溝部１６の一方の壁となる内側壁１５ｃとからなっている。一方、開閉パネル３０は、開閉パネル３０の正面部３２の側端面３３よりも内側奥方向に位置し、前面パネル１０の奥方向（図５(a)の上方向）に伸びる側壁３１を立設している。また、吸込グリル２０も、この溝部１６の奥方向に、開閉パネル３０の側壁３１と同程度の長さだけ伸びる側壁２１を有している。前面パネル１０のせり出し部１５と開閉パネル３０の側壁３１との間が、前面パネル１０と開閉パネル３０の正面を向く合わせ目となり、隙間Ｇが形成されている。
【００２４】
図６に示す吸込グリル２０には、その側壁２１の下端に、断面コ字形状の手掛け部２２が形成されている。この手掛け部２２の外側壁面には手掛け凹部２２ａが形成されている。さらに、図５(b)に示す手掛け部２２の前方（図５(b)の下方）を向く断面コ字形状の凹部２２ｂと手掛け凹部２２ａの前端部２２ｃとの間には、前面パネル１０の第１のテーパ部１５ｂよりも水平に近い角度を付けた、第２のテーパ部２２ｄが形成されている。また、手掛け凹部２２ａ前方（図５(b)の下方）の側端には、前面パネル１０の第１のテーパ部１５ａとほぼ平行な、指を掛けるための第３のテーパ部２２ｅが形成されている。
【００２５】
開閉パネル３０には、その側壁３１における前記手掛け部２２と当接する部分が、吸込グリル２０の手掛け部２２の前記した断面コ字形状の凹部２２ｂに入り込むように、薄肉部３１ａとなっている。そして、前面パネル１０の第１のテーパ部１５ｂと吸込グリル２０の第３のテーパ部２２ｅとの間には、指が挿入可能なスペースＳが形成される。また、開閉パネル３０の正面部３２の側端部３２ａと薄肉部３１ａとの間には、第２のテーパ部２２ｄとほぼ平行な第４のテーパ部３２ｂが形成されている。さらに、この側端部３２ａは、吸込グリル２０の手掛け部２２の前端部２２ｃよりも前面パネル１０のせり出し部１５の方向に突出して、正面視において、前面パネル１０の第１のテーパ部１５ｂと重合している。
【００２６】
そして、前記した前面パネル１０のせり出し部１５と開閉パネル３０の側壁３１とにより、形成された合わせ目の一部に吸込グリル２０の手掛け部２２を配置し、手掛け凹部２２ａが合わせ目の隙間Ｇに臨むように延出して形成されている。
【００２７】
フィルター交換をするときは、図５(c)に示すように、スペースＳに人差し指を差し込んで、吸込グリル２０の手掛け部２２の第３のテーパ部２２ｅを前方に引くことにより、吸込グリル２０の第２のテーパ部２２ｄが開閉パネル３０の第３のテーパ部３２ｂを押して、その吸込グリル２０と開閉パネル３０が一体的に引き出され、図３に示すように、吸込グリル２０と開閉パネル３０が上方向に回動する。
【００２８】
本実施例の空気調和機の室内機では、図５(b)に示したように、吸込グリル２０の側壁２１の下端に、合わせ目の隙間Ｇに臨むように延出され開閉パネル３０の側壁３１の薄肉部３１ａを囲う手掛け部２２が形成されているので、開閉パネル３０が前面パネル１０の前面を閉じている運転停止時は、手掛け部２２が開閉パネル３０の側壁３１よりも奥まった位置に納まり、その手掛け部２２が見え難くなり目立たなくなる。また、開閉パネル３０の前面部３２の側端部３２ａが、矢印Ｂ１で示す側端部３２ａの正面から見て、前面パネル１０の第１のテーパ部１５ｂと重合しているので、合わせ目の隙間Ｇの奥が見え難くなり、さらに、開閉パネル３０の側端部３２ａは、吸込グリル２０の手掛け部２２の前端部２２ｃと面一、もしくは前面パネル１０の側壁１４の方向に突出しているので、手掛け部２２の全体が確実に見え難くなる。また、開閉パネル３０の側端部３２ａが、前面パネル１０のせり出し部１５の前端部１５ａよりも前方に位置するので、矢印Ｂ２で示す正面中央から斜めに見て、合わせ目が開閉パネル３０によって隠れるようになる。また、吸込グリル２０の手掛け部２２の奥端部２２ｆが、前面パネル１０の角部１７よりも奥側に位置するので、矢印Ｂ３で示す斜め外側前方から見て、吸込グリル２０の手掛け部２２の奥が見え難くなり、また前面パネル１０のせり出し部１５の前端が張り出しているので、矢印Ｂ４で示す側面からは完全に見えなくなる。したがって、本実施例の空気調和機の室内機は、設置する室内空間に調和したデザインを確保できる。
【００２９】
なお、以上説明した実施例では、室内機の正面右側において、前面パネル１０のせり出し部１５と開閉パネル３０の側壁３１と間の合わせ目の隙間Ｇに臨むように、吸込グリル２０の側端部２１の一部に手掛け部２２を設けた例について説明したが、室内機の正面左側の同様な合わせ目に設ける手掛け部についても、同様に構成される。ただし、構造は右端部分とは対称となる。
【符号の説明】
【００３０】
１０：前面パネル、１１：正面壁、１２Ａ：前面吸込口、１２Ｂ：上面吸込口、１３：下部吹出口、１４：外側壁、１５：せり出し部、１５ａ：前端部、１５ｂ：第１のテーパ部、１５ｃ：内側壁、１６：溝部、１７：角部、１８：軸受
２０：吸込グリル、２１：側壁、２２：手掛け部、２２ａ：手掛け凹部、２２ｂ：凹部、２２ｃ：前端部、２２ｄ：第２のテーパ部、２２ｅ：第３のテーパ部、２２ｆ：奥端、２３：開口部、２４：軸
３０：開閉パネル、３１：側壁、３１ａ：薄肉部、３２：正面部、３２ａ：側端部、３２ｂ：第４のテーパ部、３３：側端面
４０：フィルター
５０：開閉パネル駆動機構、５１：上アーム、５２：下アーム、５３：モータ、５４：回転軸
６０：風向板
７０：ケーシング
【図１】
0005510668.tif 000003
【図２】
0005510668.tif 000004
【図３】
0005510668.tif 000005
【図４】
0005510668.tif 000006
【図５】
0005510668.tif 000007
【図６】
0005510668.tif 000008